(57)【要約】（ａ）界面活性剤材料；（ｃ）一般式−（ＣＨ２ＣＨ２ＮＨ）ｎ−のポリエチレンイミン；および（ｄ）式（Ｉ）で表されるエチレン１個分不飽和な芳香族カルボン酸エステル（式中、Ｒ１は、水素、Ｃ１−Ｃ１６アルキル、Ｃ１−Ｃ１６アルコキシ、アリールおよび置換アリールからなる群から選択され、Ｒ２は、アリール、置換アリールおよびＣ６−Ｃ１６アルキルからなる群から選択される）を含む界面活性剤組成物であって、材料（ｂ）〜（ｄ）がそれぞれ最大１０，０００の臭値を有する、前記界面活性剤組成物。通常、低品質の界面活性剤材料が用いられる場合に直面する悪臭の問題は、有意に低減される。【化１】2008511694.tif 000020
2008511694.tif 000002
【特許請求の範囲】
【請求項１】
（ａ）界面活性剤材料；
（ｂ）一般式−（ＣＨ２ＣＨ２ＮＨ）ｎ−のポリエチレンイミン；および
（ｃ）次式：
【化１】
2008511694.tif 000016
式中、Ｒ１は、水素、Ｃ１−Ｃ１６アルキル、Ｃ１−Ｃ１６アルコキシ、アリールおよび置換アリールからなる群から選択され、Ｒ２は、アリール、置換アリールおよびＣ６−Ｃ１６アルキルからなる群から選択される、
で表されるエチレン１個分不飽和な芳香族カルボン酸エステル
を含む界面活性剤組成物であって、
材料（ｂ）および（ｃ）がそれぞれ最大１０，０００の臭値を有する、前記界面活性剤組成物。
【請求項２】
Ｒ１が、水素、Ｃ１−８アルキル、Ｃ１−８アルコキシおよびアリールから選択される、請求項１に記載の界面活性剤組成物。
【請求項３】
Ｒ２が、Ｃ６−１２アルキルおよびアリールから選択される、請求項１に記載の界面活性剤組成物。
【請求項４】
最大１０，０００、好ましくは５，０００以下、さらに好ましくは２，０００以下および最も好ましくは１０００以下の臭値を有する芳香性のアルデヒドをさらに含む、請求項１に記載の界面活性剤組成物。
【請求項５】
（ｉ）少なくとも一つの芳香性のアルデヒドが存在する場合、（ｂ）および（ｃ）は、それぞれ０．００５％〜１０％の範囲で界面活性剤組成物中に存在する；および
（ｉｉ）芳香性のアルデヒドが存在しない場合、界面活性剤組成物は、（ｂ）と（ｃ）とのそれぞれを０．００５％〜０．５％で含む、請求項１または４に記載の界面活性剤組成物。
【請求項６】
芳香性のアルデヒドが、下記化合物：
【化２】
2008511694.tif 000017
からなる群から選択される、請求項４に記載の界面活性剤組成物。
【請求項７】
（ａ）一般式−（ＣＨ２ＣＨ２ＮＨ）ｎ−のポリエチレンイミン；
（ｂ）次式：
【化３】
2008511694.tif 000018
式中、Ｒ１は、水素、Ｃ１−Ｃ１６アルキル、Ｃ１−Ｃ１６アルコキシ、アリールおよび置換アリールからなる群から選択され、Ｒ２は、アリール、置換アリールおよびＣ６−Ｃ１６アルキルからなる群から選択される、
で表されるエチレン１個分不飽和な芳香族カルボン酸エステル；
および、任意に芳香性のアルデヒド
を含む、洗濯用材料に起こりやすい悪臭の低減のための界面活性剤組成物であって、
材料（ｂ）と（ｃ）と、芳香性のアルデヒドが存在する場合、前記芳香性のアルデヒドとがそれぞれ最大１０，０００の臭値を有する、前記界面活性剤組成物。
【請求項８】
（ａ）一般式−（ＣＨ２ＣＨ２ＮＨ）ｎ−のポリエチレンイミン；および
（ｂ）次式：
【化４】
2008511694.tif 000019
式中、Ｒ１は、水素、Ｃ１−Ｃ１６アルキル、Ｃ１−Ｃ１６アルコキシ、アリールおよび置換アリールからなる群から選択され、Ｒ２は、アリール、置換アリールおよびＣ６−Ｃ１６アルキルからなる群から選択される、
で表されるエチレン１個分不飽和な芳香族カルボン酸エステル；
および、任意に芳香性のアルデヒド
から実質的になる界面活性剤組成物への添加を含む、界面活性剤材料に起こりやすい悪臭の低減のための方法であって、
材料（ｂ）と（ｃ）と、芳香性のアルデヒドが存在する場合、前記アルデヒドとがそれぞれ最大１０，０００の臭値を有する、前記方法。
【発明の詳細な説明】
【技術分野】
【０００１】
本発明は、界面活性剤組成物、とくに基質を洗浄および処理するためのものに関し、およびそれらの使用した結果としての、望ましくない匂いを防ぐ方法に関する。
【発明の開示】
【０００２】
本明細書において、“界面活性剤組成物”との用語の使用は、基質の洗浄とコンディショニングを含むクリーニングアプリケーションにおいて水とともに用いられる場合に水相と非水相の両方に親和性を有する材料を含む任意の組成物を意味する。この材料は、広範囲にわたって使用される合成界面活性剤（陰イオン性、陽イオン性および非イオン性）であり得、および鹸化された動物性脂肪と植物性脂肪などのより伝統的な材料でもあり得る。例として、洗剤、柔軟剤、ならびに様々な石鹸がある。
本明細書において、“基質（substrates）”との用語の使用は、洗浄またはコンディショニングを必要とすることがある任意の表面であることを意味し、および繊維、織物、皮膚、髪、ガラス、陶磁器などを含んでいる。
【０００３】
世界の多くの地域では、界面活性剤組成物に、低品質の原材料を用いており、不快な匂いを有し、処理される基質にこの不快な匂いが移ることがある。特に、衣類、織物、皮膚、髪、調理器具および皿を洗浄するために使用される棒状石鹸は、多くの場合、比較的安価な材料から作られ、この材料は、典型的には動物性脂肪と植物性脂肪に由来する。このような製品に例外なく直面する問題は、悪臭である。この問題は、熱、湿気および他の添加物の存在などの様々な要因によって引き起こされ、悪臭は、時間とともに現れ、悪化していくことがある。この問題を、悪臭を中和する香料を添加することによって克服することができるが、この解決法は、不経済だけでなく常に有効であるとは限らない。
【０００４】
この問題が、香料の添加を必要とすることなく、悪臭を中和でき、心地よい匂いを移すことさえできるという点において、特定の処方を用いることにより実質的に、またはすっかり完全に克服できることが今や見出された。したがって、本発明は、
（ａ）界面活性剤材料；
（ｂ）一般式−（ＣＨ２ＣＨ２ＮＨ）ｎ−のポリエチレンイミン；および
（ｃ）次式： 
【化１】
2008511694.tif 000003
式中、Ｒ１は、水素、Ｃ１−１６アルキル、Ｃ１−１６アルコキシ、アリールおよび置換アリールからなる群から選択され、Ｒ２は、アリール、置換アリールおよびＣ６−Ｃ１６アルキルからなる群から選択される、
で表されるエチレン１個分不飽和な芳香族カルボン酸エステル
を含む界面活性剤組成物であって、材料（ｂ）および（ｃ）は、最大１０，０００の臭値（odour value）をそれぞれ有する、を提供する
上記定義において、単数形の語の使用も、複数形の語の使用に含まれる。
【０００５】
臭値（Odour Value）（以下“ＯＶ”）のパラメーターは、当業者に周知である。このＯＶのパラメーターは、NeunerとEtzweilerの方法によって決定され、そして標準的な参考文献である“Perfumes: Art, Science and Technology”(Elsevier, 1991)の１５３頁に記載されている。好ましくは、上記材料（ｂ）と（ｃ）が、５，０００以下のＯＶを、さらに好ましくは２，０００以下のＯＶを、そして最も好ましくは１０００以下のＯＶを有する。
【０００６】
ポリエチレンイミンは、構成単位であるエチレンイミン−ＣＨ２ＣＨ２ＮＨ−から構成される材料である。この鎖は、窒素上の水素が、構成単位であるエチレンイミンのもう一つの鎖によって置換される場合、分岐することがある。ポリエチレンイミンは、水溶性なので、様々な商業上の応用品に使用される。本発明において有用である市販のポリエチレンイミンの例として、ＬＵＰＡＳＯＬ（例えばＢＡＳＦ）の商標名で販売された取り揃え商品がある。ポリエチレンイミンは、様々な品質等級で市販され、８００Ｄａから２，０００，０００Ｄａまでの分子量を有する。アルデヒドに関して等しいＯＶは、市販のポリエチレンイミンに適合する。
上記の式のエステルは、かかる任意のエステルであり得る。好ましくは、Ｒ１が、水素、Ｃ１−８アルキル、Ｃ１−８アルコキシもしくはアリールであり、およびＲ１と独立して、Ｒ２は、好ましくはＣ６−１２アルキルもしくはアリールである。
【０００７】
“界面活性剤組成物”とは、水とともに使用される場合、基質を洗浄およびコンディショニングするために有用である任意の物質もしくはそれらの物質の組み合わせを意味する。この定義は、洗濯用洗剤および食器用洗剤および柔軟剤および品質改良剤に使用される界面活性剤の混合物のみならず、鹸化された天然油などのより伝統的な石鹸の未加工な材料をも包含する。本発明は、これらの材料のうちのいずれかとともに用いられることがあるが、アジアおよびラテンアメリカの地域において洗濯用棒状石鹸に頻繁に用いられるタイプの低品質石鹸の材料は特に有用である。このような材料は、特に時間とともに悪臭になりやすく、そこで本発明の使用により、この悪臭がかなり低減する；およびこの悪臭が完全にすっかり除去され得る。
【０００８】
本発明の界面活性剤組成物は、本技術分野において認識されている分量において、組成物を洗浄および処理する際、当業者に使用されるいかなる既知の材料をも用いることがある。一つの好ましいそのような材料は、溶媒である；界面活性剤材料に上記材料（ｂ）と（ｃ）を添加する前に、まず材料（ｂ）と（ｃ）を溶媒中に溶解させることが好まれる。それは、この手順によって材料（ｂ）と（ｃ）の溶媒への混和がより容易だからである。代表的な溶媒は、ジプロピレングリコール、フタル酸ジエチル、ミリスチン酸イソプロピルならびに安息香酸ベンジルがある。
【０００９】
本発明の特に好まれる実施態様において、上記組成物は、さらに芳香性の（fragrant）アルデヒドを含み、そのＯＶは、最大１０，０００の値を有し、好ましくは５，０００以下、さらに好ましくは２，０００以下、および最も好ましくは１０００以下の値を有する。
【００１０】
本発明において使用に適しているアルデヒドの一覧表を、以下に示す；この一覧表は、典型的なアルデヒドのみであって、ここに示していない他のアルデヒドも、本発明において使用に適している。
【化２】
2008511694.tif 000004
【００１１】
使用され得るもう一つの既知の材料は、香料である。たとえ本発明が、完全に悪臭を除去できるとしても、そして仮にそれ自体が心地よい匂いを移すとしても、際立った芳香を上記組成物に移すことが望ましいといえる。このことは、本技術分野において認識されている分量において、当業者に既知の多くの香料のうち１または２以上を使用することによってなされ得る。本発明の利点の一つは、悪臭の低減または除去とともに、より少ない香料（高価な成分）によって、望ましい効果を実現することが必要とされる。この香料は、一般的に有機溶媒中に溶解された溶液であって、そしてこの香料は、上で言及した材料（ｂ）と（ｃ）ならびに溶媒の混合物に添加され得る。
【００１２】
洗浄力強化剤、緩衝液、充填剤、帯電防止剤、防かび剤、酸化防止剤、染料、顔料、蛍光物質、殺菌剤および皮膚軟化薬などの本技術分野において認識されている他の含有物も、本技術分野において認識されている分量において使用され得る。
【００１３】
本発明の組成物は、既知の方法においてそれら含有物を混合することによって調製される。上記のように、まず材料（ｂ）と（ｃ）を混合し、必要な場合アルデヒドとともに、好ましくは溶媒とともに混合し、そして次にこの混合物を材料（ａ）と混合し、本発明に記載の組成物が与えられる。この比率は、以下のようにあるべきで、
（ｉ）芳香性のアルデヒドが存在しない場合、上記組成物は、（ｂ）と（ｃ）をそれぞれ重量で０．００５％〜０．５％の最低限の濃度で含む。
（ｉｉ）少なくとも一種の芳香性のアルデヒドが存在する場合、（ｂ）と（ｃ）は、個々に０．００５％〜１０％の程度まで組成物中に存在する。
好ましくは、
（ｉｉｉ）香料が存在する場合、材料（ｂ）＋（ｃ）（アルデヒドが存在する場合、＋アルデヒド）は、材料（ａ）＋（ｂ）＋（ｃ）＋アルデヒドの重量に対し個々に０．００１〜５．０％の程度まで存在する；そして
（ｉｖ）香料が存在しない場合、材料（ｂ）＋（ｃ）（アルデヒドが存在する場合、＋アルデヒド）は、材料（ａ）＋（ｂ）＋（ｃ）＋アルデヒドの重量に対し個々に０．０１〜２．０％の程度まで存在する。
【００１４】
低品質の洗濯用材料が頻繁に直面する悪臭の問題を実質的にまたはすっかり完全に克服することによって、本発明は、より広い範囲のアプリケーションにおいてその材料の使用を認める。したがって、本発明は、洗濯用材料に起こりやすい悪臭の低減のための組成物を提供し、その組成物は、以下を含む：
（ａ）一般式−（ＣＨ２ＣＨ２ＮＨ）ｎ−のポリエチレンイミン；および
（ｂ）次式：
【化３】
2008511694.tif 000005
式中、Ｒ１は、水素、Ｃ１−１６アルキル、Ｃ１−１６アルコキシ、アリールおよび置換アリールからなる群から選択され、およびＲ２は、アリール、置換アリールおよびＣ６−１６アルキルからなる群から選択される、
で表されるエチレン１個分不飽和な芳香族カルボン酸エステル
を含み、材料（ｂ）および（ｃ）は、最大１０，０００の臭値（odour value）をそれぞれ有する。
好ましくは、上記組成物は、上記のように、芳香性のアルデヒドをさらに含む。
【００１５】
本発明は、洗濯用材料に起こりやすい悪臭を低減する方法をさらに提供し、この方法は、本質的に以下からなる組成物への添加を含む
（ａ）一般式−（ＣＨ２ＣＨ２ＮＨ）ｎ−のポリエチレンイミン；および
（ｂ）次式： 
【化４】
2008511694.tif 000006
式中、Ｒ１は、水素、Ｃ１−１６アルキル、Ｃ１−１６アルコキシ、アリールおよび置換アリールからなる群から選択され、およびＲ２は、アリール、置換アリールおよびＣ６−１６アルキルからなる群から選択される、
で表されるエチレン１個分不飽和な芳香族カルボン酸エステル
を含み、材料（ｂ）〜（ｄ）は、最大１０，０００の臭値（odour value）をそれぞれ有する。
好ましくは、上記のように、芳香性のアルデヒドも添加される。
【００１６】
本発明は、以下の限定されない例に関して、ここにさらに記載される。これらの例において、材料（ｂ）と（ｃ）の組み合わせ、および芳香性のアルデヒドを、香料非存在下（例１〜３）および香料存在下（例４〜６）、異なる石鹸基剤において試験した。
【実施例】
【００１７】
例１
５％（ｗｔ）のジヒドロファルネサール（dihydrofarnesal）（３，７，１１−トリメチル−ドデカ−６，１０−ジエナール）（成分（ｂ））、２０％のＬＵＰＡＳＯＬ（商品名）Ｇ１００（５０％活性レベル、粘度１２００ｍＰａ−ｓ、分子量（重量平均）５０００（成分（ｃ）））、１５％のメトキシ桂皮酸オクチル（octyl methoxy cinnamate）（成分（ｄ））、および６０％のミリスチン酸イソプロピル（６０％）の混合物を調製し、そして重量で０．２％の用量になるようにその混合物を下記のとおりに石鹸基剤に添加した。この基剤を完全に挽き、そして石鹸ケーキを作製した。このケーキを一日の間ふやけさせ、そして嗅覚によって評価した。石鹸ケーキを上記混合物なしに作製し、対照として用いた。
【００１８】
評価は、その香料のノートを基にし、そしてその香料のノートがどの程度基剤のノートを覆ったかによって行った。基剤に固有の強い匂いから穏やかな匂いまでを有する様々な石鹸基剤をパネルによって評価し、以下のように格付けを与えた：
【表１】
2008511694.tif 000007
【表２】
2008511694.tif 000008
【００１９】
石鹸基剤１は、植物由来（通常は８０／２０と記載され、８０％のパーム油と２０％のココナッツ油とから作られたことを意味する）の１００％の石鹸基剤（通常は約１５〜２０％の水を含む）であった。
石鹸基剤２は、石鹸基剤（９０％の石鹸基剤１）＋１０％のタルクの混合物であった（このタイプの組み合わせは、通常高級な化粧石鹸を作る際に用いられる）。
石鹸基剤３は、石鹸基剤（８０％の石鹸基剤１）＋２０％のタルクの混合物であった（このタイプの組み合わせは、通常中価格帯の化粧石鹸を作る際に用いられる）。
石鹸基剤４は、石鹸基剤（６０％の石鹸基剤１）＋４０％のタルクの混合物であった（このタイプの組み合わせは、通常低価格の化粧石鹸を作る際に用いられる）。
【００２０】
例２
１０％のジヒドロファルネサール（dihydrofarnesal）、１０％のＬＵＰＡＳＯＬ  ＳＫ（２５％活性含有量、粘度５００〜１０００ｍＰａ−ｓおよび分子量２，０００，０００）、５％のゲラニルクロタネート（geranyl crotanate）および７５％のジプロピレングリコールの混合物を調製し、そして０．３％の用量になるようにこの混合物を以下に示すタイプの石鹸基剤に添加した。この基剤を完全に挽き、そして石鹸ケーキを作製した。この混合物なしの石鹸ケーキも作製した。このケーキを一日の間ふやけさせ、そして例１に記載のように嗅覚によって評価した。
【表３】
2008511694.tif 000009
【００２１】
石鹸基剤５は、未精製のパーム油とパーム脂肪酸蒸留液との混合物から調製された植物由来の１００％の石鹸基剤（通常は約１５〜２０％の水を含む）であった。
石鹸基剤６は、石鹸基剤（９０％の石鹸基剤５）＋１０％のタルクの混合物であった（このタイプの組み合わせは、通常高級な化粧石鹸を作る際に用いられる）。
石鹸基剤７は、石鹸基剤（８０％の石鹸基剤５）＋２０％のタルクの混合物であった（このタイプの組み合わせは、通常中価格帯の化粧石鹸を作る際に用いられる）。
石鹸基剤８は、石鹸基剤（６０％の石鹸基剤５）＋４０％のタルクの混合物であった（このタイプの組み合わせは、通常低価格の化粧石鹸を作る際に用いられる）。
【００２２】
例３
１０％のジヒドロファルネサール（dihydrofarnesal）、２０％のＬＵＰＡＳＯＬ（商品名）Ｇ３５（５０％活性レベル、粘度＝４５０ｍＰａ−ｓ、平均分子量２０００）、２０％のフマル酸ジヘキシルおよび５０％のフタル酸ジエチルの混合物を調製し、そして０．１％の用量になるようにこの混合物を下記のように石鹸基剤に添加し、そして石鹸ケーキを作製した。上記混合物なしの石鹸基剤も作製した。このケーキを一日の間ふやけさせ、そして嗅覚によって評価した。
【表４】
2008511694.tif 000010
【００２３】
石鹸基剤９は、獣脂由来の１００％の石鹸基剤（通常は約１５〜２０％の水を含む）であった。
石鹸基剤１０は、石鹸基剤（９０％の石鹸基剤９）＋１０％のタルクの混合物であった（このタイプの組み合わせは、通常高級な化粧石鹸を作る際に用いられる）。
石鹸基剤１１は、石鹸基剤（８０％の石鹸基剤９）＋２０％のタルクの混合物であった（このタイプの組み合わせは、通常中価格帯の化粧石鹸を作る際に用いられる）。
石鹸基剤１２は、石鹸基剤（６０％の石鹸基剤９）＋４０％のタルクの混合物であった（このタイプの組み合わせは、通常低価格の化粧石鹸を作る際に用いられる）。
【００２４】
例４
５％のジヒドロファルネサール（dihydrofarnesal）、１０％のＬＵＰＡＳＯＬ（商品名）ＨＦ（５０％活性含有量、粘度１４，０００ｍＰａ−ｓおよび分子量５０，０００）、５％のゲラニルクロタネート（geranyl crotanate）および８０％のジプロピレングリコールの混合物を調製し、香料（香料８０％＋混合物２０％）とともに混和した。この混合物を１．５％の用量になるように下記のとおりに石鹸基剤に添加した。この基剤を完全に挽き、そして石鹸ケーキを作製した。このケーキを一日の間ふやけさせ、そして嗅覚によって評価した。実験対照となる石鹸基剤（上記混合物はなく、この香料のみを１．５％の用量で含む）も作製し、そして試験した。
【表５】
2008511694.tif 000011
【００２５】
その石鹸基剤中の香料の用量は１．５％であり、この香料は溶媒を３０％含んでいた。この混合物を添加した石鹸の場合、溶媒の比率は、混合物の分量の存在により縮小した。
【００２６】
石鹸基剤Ａを、植物由来（通常は８０／２０と記載され、８０％のパーム油と２０％のココナッツ油とから作られたことを意味する）の１００％の石鹸基剤（通常は約１５〜２０％の水を含む）から作製した。
石鹸基剤Ｂを、石鹸基剤（９０％の石鹸基剤１）＋１０％のタルクの混合物から作製した（このタイプの組み合わせは、通常高級な化粧石鹸を作る際に用いられる）。
石鹸基剤Ｃを、石鹸基剤（８０％の石鹸基剤１）＋２０％のタルクの混合物から作製した（このタイプの組み合わせは、通常中価格帯の化粧石鹸を作る際に用いられる）。
石鹸基剤Ｄを、石鹸基剤（６０％の石鹸基剤１）＋４０％のタルクの混合物から作製した（このタイプの組み合わせは、通常低価格の化粧石鹸を作る際に用いられる）。
【００２７】
例５
１５％のジヒドロファルネサール（dihydrofarnesal）、５％のＬＵＰＡＳＯＬ（商品名）ＰＳ（３３％活性含有量、粘度１４００ｍＰａ−ｓおよび分子量７５０，０００）、５％のＬＵＰＡＳＯＬ（商品名）Ｇ  １００（５０％活性レベル、粘度１２００ｍＰａ−ｓ、および平均分子量５０００）、５％のメトキシ桂皮酸オクチル（octyl methoxy cinnamate）、および７０％のミリスチン酸イソプロピルの混合物を調製し、そして香料（香料９０％＋混合物１０％）とともに混和した。この混合物を１．２％の用量になるように下記のとおりに石鹸基剤に添加した。この基剤を完全に挽き、そして石鹸ケーキを作製した。このケーキを一日の間ふやけさせ、そして嗅覚によって評価した。実験対照となる石鹸基剤（上記混合物はなく、この香料のみを１．２％の用量で含む）も作製し、そして試験した。
【表６】
2008511694.tif 000012
【００２８】
石鹸基剤Ｅを、未精製のパーム油とパーム脂肪酸蒸留液との混合物から調製された植物由来の１００％の石鹸基剤（通常は約１５〜２０％の水を含む）から作製した。
石鹸基剤Ｆを、石鹸基剤（９０％の石鹸基剤５）＋１０％のタルクの混合物から作製した（このタイプの組み合わせは、通常高級な化粧石鹸を作る際に用いられる）。
石鹸基剤Ｇを、石鹸基剤（８０％の石鹸基剤５）＋２０％のタルクの混合物から作製した（このタイプの組み合わせは、通常中価格帯の化粧石鹸を作る際に用いられる）。
石鹸基剤Ｈを、石鹸基剤（６０％の石鹸基剤５）＋４０％のタルクの混合物から作製した（このタイプの組み合わせは、通常低価格の化粧石鹸を作る際に用いられる）。
【００２９】
例６
５％のジヒドロファルネサール（dihydrofarnesal）、１０％のＬＵＰＡＳＯＬ（商品名）Ｇ  １００（５０％活性レベル、粘度１２００ｍＰａ−ｓ、平均分子量５０００）、２５％のメトキシ桂皮酸オクチル（octyl methoxy cinnamate）および６０％の安息香酸ベンゾイルの混合物を調製し、香料（香料８５％＋混合物１５％）とともに混和した。この混合物を１．６％の用量になるように下記のとおりに石鹸基剤に添加した。この基剤を完全に挽き、そして石鹸ケーキを作製した。このケーキを一日の間ふやけさせ、そして嗅覚によって評価した。実験対照となる石鹸基剤（上記混合物はなく、この香料のみを１．６％の用量で含む）も作製し、そして試験した。
【表７】
2008511694.tif 000013
【００３０】
石鹸基剤Ｊは、獣脂由来の１００％の石鹸基剤（通常は約１５〜２０％の水を含む）であった。
石鹸基剤Ｋを、石鹸基剤（９０％の石鹸基剤９）＋１０％のタルクの混合物から作製した（このタイプの組み合わせは、通常高級な化粧石鹸を作る際に用いられる）。
石鹸基剤Ｌを、石鹸基剤（８０％の石鹸基剤９）＋２０％のタルクの混合物から作製した（このタイプの組み合わせは、通常中価格帯の化粧石鹸を作る際に用いられる）。
石鹸基剤Ｍを、石鹸基剤（６０％の石鹸基剤９）＋４０％のタルクの混合物から作製した（このタイプの組み合わせは、通常低価格の化粧石鹸を作る際に用いられる）。
【００３１】
例７
脂肪の悪臭のする半透明の個人用の洗浄用石鹸基剤は、下表中に示すそれぞれの含有物の中に混和され、そしてその塊を挽き、棒状の型から成形し、打ち抜いた。この棒の１リットルの先頭部空間を１分間当たり１００ｍｌの速度で１０分間採取し、そしてガスクロマトグラフィーおよび質量分析によって解析した。
【００３２】
この悪臭成分を同定し、そして悪臭レベルを数値化した。その棒の色を５点等級で１＝着色なし５＝濃い茶色として評価した。その結果を下表に示した：
【表８】
2008511694.tif 000014
【００３３】
ここで、ＤＨＦ＝フマル酸ジヘキシルおよびＧＣ＝ゲラニルクロトネート（geranyl crotanate）である。
ＬＵＰＡＳＯＬ（商品名）ＦＧのみが、この石鹸基剤の悪臭を顕著に低減する。しかし、この石鹸は、容認できない黄茶色である。フマル酸ジヘキシルもしくはフマル酸ジヘキシルとゲラニルクロトネート（geranyl crotanate）との混合物をＬＵＰＡＳＯＬと一緒に用いることによって、ＬＵＰＡＳＯＬの利点を向上でき、そして石鹸の色を容認できるレベルの最小限まで抑えることができる。
【００３４】
例８
例７の石鹸基剤を、１％の市販の石鹸香料のみに添加、もしくは１％の市販の石鹸香料を下記の材料と一緒に加えられた中に添加した。試料を調製し、上記のように解析した。
【表９】
2008511694.tif 000015
【００３５】
ＬＵＰＡＳＯＬのみが、香料存在下この悪臭を顕著に低減させる；しかし、その色は容認できない。フマル酸ジヘキシルを組み合わせると、容認できる色が達成でき、そして悪臭に対する素晴らしい低減が得られる。
【国際調査報告】
2008511694.tif 000021
2008511694.tif 000022
2008511694.tif 000023